(57)【要約】【課題】赤外線リモコンからの赤外線が届かない外部からでも、家電機器を赤外線により操作可能とすること。【解決手段】赤外線リモコン１対応の各家電機器２−４それぞれの赤外線受光部５−７の前方に置かれた複数の赤外線発光部８−１０と、  各家電機器の操作データを処理するＣＰＵ２６と、電力線上で電力線搬送通信される外部からの家電機器操作データを電力から分離してＣＰＵ２６に入力する電力線通信モデム２８，２９と、を含み、ＣＰＵ２６は、上記家電機器操作データに基づいて各赤外線発光部８−１０を発光制御することで、各家電機器２−４を制御する。【選択図】図１
2010273150.tif 000002
【特許請求の範囲】
【請求項１】
赤外線リモコン対応の複数の家電機器それぞれの赤外線受光部の前方に置かれた複数の赤外線発光部と、
外部からの家電機器操作データを電力に変調により重畳して電力線搬送すると共に、電力線搬送されてきた上記家電機器操作データを復調して電力から分離する電力線通信モデムと、
上記電力線通信モデムにより電力から分離された家電機器操作データを処理して上記各赤外線発光部を発光制御するＣＰＵと、
を含む、ことを特徴とする家電機器遠隔制御システム。
【請求項２】
電源タップに、上記ＣＰＵと、上記電力線通信モデムと、を内蔵させると共に、上記赤外線発光部を電源タップ外で信号線によりＣＰＵに対して接続配線した、ことを特徴とする請求項１に記載の家電機器遠隔制御システム。
【請求項３】
上記外部が携帯端末である、ことを特徴とする請求項１に記載の家電機器遠隔制御システム。
【請求項４】
上記電源タップは、赤外線リモコンが発する赤外線による家電機器操作データを受光する赤外線受光部を備え、上記ＣＰＵにより、上記赤外線受光部が出力する家電機器操作データをメモリに学習して記憶させるようにした、ことを特徴とする請求項２に記載の家電機器遠隔制御システム。
【請求項５】
上記電源タップに、電力線通信モデムにより分離されたデータが含む制御プログラムに応答してコンセント口に接続された家電機器の電源オンオフを制御するプログラマブルコントローラを、含むことを特徴とする請求項２に記載の家電機器遠隔制御システム。
【発明の詳細な説明】
【技術分野】
【０００１】
本発明は、家電機器を遠隔位置から制御する家電機器遠隔制御システムに関するものである。
【背景技術】
【０００２】
テレビやビデオなどの家電機器の遠隔制御用に無線通信技術が適用される。この遠隔制御には、赤外線を利用したリモコンが多用される（特許文献１参照）。このような赤外線リモコンは、３８−４０ｋＨｚ程度で変調した赤外線を使い、数十ビットのデータを送受信する。このデータの各ビットは、パルス間隔を変えることで０と１を表現するようになっている。
【０００３】
赤外線リモコンは一般的には家電機器に対して１：１で割り当てられ、赤外線リモコンから家電機器に送信される制御指令を含む赤外線データもそれぞれの家電機器ごとに決められている。一方、１台の赤外線リモコンにより複数台の家電機器を制御することができるようにしたものもある。
【０００４】
しかしながら、いずれにしても、こうした赤外線リモコンは、家電機器と同じ部屋において操作されるものであり、部屋外からは部屋内の複数の家電機器を赤外線により遠隔操作することはできない。
【先行技術文献】
【特許文献】
【０００５】
【特許文献１】特開２００５−３３３１６９号公報
【発明の概要】
【発明が解決しようとする課題】
【０００６】
本発明により解決すべき課題は、赤外線リモコンで操作される家電機器を、赤外線リモコンからの赤外線が届かない外部から、赤外線により操作できるようにすることである。
【課題を解決するための手段】
【０００７】
本発明による家電機器遠隔制御システムは、赤外線リモコン対応の複数の家電機器それぞれの赤外線受光部の前方に置かれた複数の赤外線発光部と、外部からの家電機器操作データを電力の変調により重畳して電力線搬送すると共に、電力線搬送されてきた上記家電機器操作データを復調して電力から分離する電力線通信モデムと、上記電力線通信モデムにより電力から分離された家電機器操作データを処理して上記各赤外線発光部を発光制御するＣＰＵと、を含むことを特徴とする。
【０００８】
本発明では、電力線上で電力線搬送通信される外部からの家電機器操作データを電力線通信モデムにより電力から分離してＣＰＵに入力し、ＣＰＵにおいては、入力した家電機器操作データに基づいて各赤外線発光部を、赤外線リモコン対応の複数の家電機器それぞれの赤外線受光部に向けて発光制御することで、各家電機器を制御することができるので、赤外線リモコンで操作される家電機器を、赤外線リモコンからの赤外線が届かない外部から、赤外線により操作することができるようになる。
【０００９】
電源タップに、上記ＣＰＵと、上記電力線通信モデムと、を内蔵させると共に、上記赤外線発光部を電源タップ外で信号線によりＣＰＵに対して接続配線することが好ましい。
【００１０】
また、上記外部からの家電機器操作データは携帯端末、例えば携帯電話によりＣＰＵに入力させることが好ましい。
【００１１】
また、電源タップには、赤外線リモコンが発する赤外線を受光する赤外線受光部を備えさせ、ＣＰＵにより、上記赤外線受光部が出力する家電機器操作データを学習してメモリに記憶させることが好ましい。
【００１２】
また、電源タップには、電力線通信モデムにより分離されたデータを含む制御プログラムに応答して、コンセント口に接続された家電機器の電源オンオフを制御するプログラマブルコントローラを内蔵することが好ましい。
【００１３】
さらには、電源タップ内部には、ＡＣプラグの電力線から供給される交流を直流に変換し、この変換した直流を電力線通信モデム、プログラマブルコントローラ、ＣＰＵなどに供給するＡＣ／ＤＣ電源部を含むことが好ましい。
【発明の効果】
【００１４】
本発明によれば、赤外線リモコンからの赤外線が届かない外部から、家電機器を赤外線により操作することができる。
【図面の簡単な説明】
【００１５】
【図１】図１は本発明の実施の形態に係る家電機器電源遠隔制御システムの全体構成を示す図である。
【図２】図２は赤外線による家電機器操作データを示す図である。
【図３】図３は図１の電源タップの内部構成を示す図である。
【発明を実施するための形態】
【００１６】
以下、添付図面を参照して、本発明の実施形態に係る家電機器遠隔制御システムを説明する。図１を参照して、赤外線リモコン１からの赤外線による家電機器操作データｉｒｄａは、テレビ、エアコン、ビデオの各家電機器２−４それぞれの赤外線受光部５−７に送信されて受信される。この赤外線リモコン１は、１台でもって、複数の家電機器２−４を操作することができるものである。例えば、この赤外線リモコン１から送信される家電機器操作データは図２で示すように、リーダー部、カスタム部、データ部、ストップビット部、を含む。カスタム部は、家電機器メーカーごとに相違する。また、データ部は、家電機器の例えば電源ＯＮ，ＯＦＦ、テレビであればチャンネル、録画予約、また、エアコンであれば、暖房、冷房、タイマーなどの制御コマンドが、１と０の組み合わせで表現されている。赤外線リモコン１で家電機器が例えばテレビ２であれば、赤外線リモコン１のテレビ操作ボタンを操作することで、それに対応した１と０の組み合わせからなるカスタム部とデータ部とが家電機器操作データとして赤外線発光部１ａから赤外線送信される。
【００１７】
図１に戻って、各家電機器２−４の赤外線受光部５−７の前方には、赤外線発光部８−１０が配置されている。この赤外線発光部８−１０へは電源タップ１１に接続される複数の信号ケーブル１２−１４内を伝送される家電機器操作データの信号が印加される。赤外線発光部８−１０はこの信号の印加により発光駆動される。この赤外線発光部８−１０の発光出力は、赤外線受光部５−７で受光されるようになっている。この赤外線受光部５−７での受光内容に応じて各家電機器２−４は動作するようになっている。
【００１８】
上記電源タップ１１は、商用電源に接続されるＡＣプラグ１５と、ＡＣプラグ１５を一端側に備えた電源コード１６と、電源コード１６の他端側に接続され、かつＡＣプラグ１５から電源コード１６を介して供給されてくる電源が分配される複数のコンセント口１７−１９を有するタップ本体２３と、を備える。各コンセント口１７−１９には、各家電機器２−４それぞれのＡＣプラグ２０−２２が接続される。そしてタップ本体２３からは上記信号ケーブル１２−１４が接続されている。タップ本体２３には、さらに、赤外線リモコン１からの赤外線を受光できる赤外線受光部２４が設けられている。タップ本体２３にはパソコン４０に接続される信号コード２５が設けられている。４１はインターネット、４２は携帯端末の一例である携帯電話である。
【００１９】
上記携帯電話４２による操作により家電機器操作データが電源タップ１１内部の後述する家電機器制御装置に与えられ、家電機器制御装置はこれに応答して、赤外線発光部８−１０を発光制御することで、各赤外線発光部８−１０それぞれの発光出力が、赤外線受光部５−７に個別に受光される。そして、各家電機器２−４はそれぞれの赤外線受光部５−７での受光に応じて動作する。
【００２０】
図３を参照して電源タップ１１のタップ本体２３内部の構成を説明する。電源タップ１１は、各家電機器２−４に電源を供給する機能だけでなく、家電機器制御装置として、上記赤外線受光部２４に加えて、タップ本体２３の内部に、ＣＰＵ２６と、メモリ２７、電力線通信モデム２８，２９と、プログラマブルコントローラ３０と、ＡＣ／ＤＣ電源部３１と、を含む。
【００２１】
家電機器制御装置としての電源タップ１１には、外部から家電機器操作データが入力される。この家電機器操作データを入力する外部の機器として、実施の形態では、その一例として携帯電話４２を用いる。この携帯電話４２は、図示略の携帯電話通信ネットワークを経由して、インターネット４１を介して、パソコン４０に接続されている。インターネット４１に限定されず、ＬＡＮ（ローカルエリアネットワーク）でもよい。携帯電話４２においては、予めメモリに記録されたアプリケーションプログラム、例えば、携帯電話通信事業者であるＮＴＴドコモのｉモードのｉアプリ（登録商標）、ａｕのＥＺアプリ（ＢＲＥＷ（登録商標））、ソフトバンクのＳ！アプリ（エスアプリ）（登録商標）などのＪａｖａ（登録商標）アプリケーションプログラムを実行することにより、家電機器操作データを発信することができる。なお、例えばＮＴＴドコモのｉモードのｉアプリではｉアプリを起動することで、携帯電話画面上に家電機器操作データメニューが表示されるようにして、その画面上を携帯電話ボタンやタッチパネルであればタッチ操作するなどして操作することで、家電機器操作データが出力されるようにしてよい。
【００２２】
家電機器操作データは、パソコン４０から信号コード２５を介して電源タップ１１のタップ本体２３に与えられる。信号コード２５内において信号線２５ａは電力線通信モデム２８に接続され、信号線２５ｂはプログラマブルコントローラ３０に接続されている。家電機器操作データは、その家電機器が例えばテレビであれば、テレビの電源ＯＮ／ＯＦＦ操作データや、視聴したいチャンネルデータ、録画ｃｈデータ、録画時間データである。
【００２３】
パソコン４０においては、電源ＯＮ／ＯＦＦ操作の場合、信号線２５ｂに電源ＯＮ／ＯＦＦデータを送信する。この送信データはプログラマブルコントローラ３０に与えられる。プログラマブルコントローラ３０は、コンセント口１７−１９のうち、テレビ２のＡＣプラグ２０が接続されるコンセント口１７にＡＣ１００Ｖを供給するように動作する。このＡＣ１００Ｖは商用電源４３に接続されるＡＣプラグ１５から電力線通信モデム２８を介して各コンセント口１７−１９に印加供給される。そしてこれら各コンセント口１７−１９それぞれの内部には、図示略のリレーと、このリレーへの通電制御によりＯＮ／ＯＦＦするスイッチとが内蔵されている。そして、例えばプログラマブルコントローラ３０からのテレビ２用のコンセント口１７に対して電源ＯＮ／ＯＦＦ制御信号によりリレーに通電され、これにより、そのリレーに対応するスイッチがＯＮすることで、テレビ２にＡＶ１００Ｖが供給される。この場合、コンセント口１７−１９とＡＣプラグ１５との間に電力線通信モデム２８を介在させることで、家電機器２−４への電力供給に際してはそれら電力に家電機器に対して操作をするための信号を重畳させることができる。
【００２４】
一方、パソコン４０においては、家電機器操作データが、その家電機器が例えばテレビであれば、視聴したいチャンネルデータ、録画ｃｈデータ、録画時間データである場合、信号線２５ａから電力線通信モデム２８にそれらテレビの操作データ信号を入力する。電力線通信モデム２８においては、電力に対してそれら操作データ信号を変調して重畳させる。この変調した電力は、電力線通信モデム２９に与えられる。この電力線通信モデム２９においては、電力中の変調された信号を復調する。これにより、ＣＰＵ２６には、視聴したいチャンネルデータ、録画ｃｈデータ、録画時間データ等の家電機器操作データが電力から復調されたうえで入力される。ＣＰＵ２６は、この家電機器操作データに基づき、テレビ２の赤外線受光部５に対向する赤外線発光部８を発光駆動させる。
【００２５】
この場合、ＣＰＵ２６はメモリ２７に記憶している赤外線リモコン１の家電機器操作データを学習しており、その学習した家電機器操作データから電力線通信モデム２９で復調して入力されてくる家電機器操作データを判断処理し、その処理した信号を上記テレビの操作データとして赤外線発光部８を発光駆動している。学習方法としては、赤外線リモコン１上の図示略の操作メニューを操作する。一方、携帯電話４２が例えばＮＴＴドコモであれば、そのｉモードのｉアプリでｉアプリを起動して、携帯電話画面を表示する。そして、その携帯電話画面上に表示する家電機器操作データメニューを、赤外線リモコン１を操作メニューに従う操作に対応してメモリ２７に記憶されている家電機器操作データに対応付けすることで学習することができる。
【００２６】
なおＡＣ／ＤＣ電源部３１は、ＡＣプラグ１５の電力線から供給される１００Ｖ交流を直流に変換して電力線通信モデム２８，２９、プログラマブルコントローラ３０、ＣＰＵ２６等に、その直流を供給する。この直流の大きさは、電力線通信モデム２８，２９、プログラマブルコントローラ３０、ＣＰＵ２６に合わせて調整することができる。
【００２７】
以上説明したように実施の形態では、赤外線リモコン１対応の各家電機器２−４それぞれの赤外線受光部５−７の前方に置かれた複数の赤外線発光部８−１０と、各家電機器２−４を制御するデータ信号を処理するＣＰＵ２６と、電力線上で電力線搬送通信される携帯電話４２による家電機器操作データを電力から分離してＣＰＵ２６に入力する電力線通信モデム２８，２９と、を備え、ＣＰＵ２６により、外部、例えば携帯電話４２からの家電機器操作データに基づいて各赤外線発光部８−１０を発光制御して、各家電機器２−４を制御するようにしたので、赤外線リモコン１で操作される家電機器２−４を、赤外線リモコン１からの赤外線が届かない外部にある携帯電話４２から、赤外線により操作することができるようになる。
【符号の説明】
【００２８】
１  赤外線リモコン
２−４  家電機器
５−７  赤外線受光部
８−１０  赤外線発光部
１１  電源タップ
１７−１９  コンセント口
【図１】
2010273150.tif 000003
【図２】
2010273150.tif 000004
【図３】
2010273150.tif 000005